(57)【特許請求の範囲】
【請求項１】
内側に配される内周端子と、前記内周端子と接触するように当該内周端子の外側に配される外周端子と、を備え、
前記内周端子は、外側方向に付勢され、前記外周端子に接触する接触部を有する一方、
前記外周端子は、内側方向に付勢され、前記内周端子に接触する接触部を有し、
前記内周端子の接触部および前記外周端子の接触部のうち少なくとも一方の端子の接触部が、他方の端子の接触部に弾性的に接触する弾性接触片を有し、
前記弾性接触片は基端部が前記他方の端子との嵌合方向における前方に配され、
前記接触部が前記嵌合方向における後方に配されている、端子対。
【請求項２】
前記内周端子の接触部および前記外周端子の接触部はともに円環状をなしている請求項１に記載の端子対。
【発明の詳細な説明】
【技術分野】
【０００１】
本発明は、端子対に関する。
【背景技術】
【０００２】
ハウジングによって保持される端子を備えたコネクタとしては、例えば特許文献１に記載のものなどが知られている。
このコネクタにおいては、ハウジングに保持されている端子と相手方の端子とを接続すると、端子が相手方の端子と接触した状態でハウジングにより保持される。
【先行技術文献】
【特許文献】
【０００３】
【特許文献１】特開２００２−７５５４３号公報
【発明の概要】
【発明が解決しようとする課題】
【０００４】
上記特許文献１に記載のコネクタにおいては、端子と相手方の端子との接触荷重はハウジングによって保持されており、ハウジングがなければ充分な接触荷重が得られず、端子間の電気的な接続信頼性が不充分となることが懸念された。
【０００５】
本発明は上記のような事情に基づいて完成されたものであって、電気的な接続信頼性を向上した端子対を提供することを目的とする。
【課題を解決するための手段】
【０００６】
上記課題を解決するものとして、本発明は、内側に配される内周端子と、前記内周端子と接触するように当該内周端子の外側に配される外周端子と、を備え、前記内周端子は、外側方向に付勢され、前記外周端子に接触する接触部を有する一方、前記外周端子は、内側方向に付勢され、前記内周端子に接触する接触部を有する端子対である。
【０００７】
本発明において、内周端子の接触部は外側方向に付勢され、外周端子に接触し、外周端子の接触部は内側方向に付勢されて内周端子に接触するので、内周端子の接触部の外側に外周端子の接触部を接触させるだけで充分な接触荷重が得られる。その結果、本発明によれば電気的な接続信頼性を向上した端子対を提供することができる。
【０００８】
本発明は以下の構成であってもよい。
前記内周端子の接触部および前記外周端子の接触部のうち、少なくとも一方の端子の接触部が、弾性接触片を有していてもよい。
このような構成とすると、より細かく接触荷重を設定することができるので、接続信頼性をさらに向上することができる。
【０００９】
前記内周端子の接触部および前記外周端子の接触部はともに円環状をなしていてもよい。
このような構成とすると内周端子と外周端子との嵌合を行う際に嵌合位置の規制がなくなり嵌合操作を円滑に行うことができる。
【発明の効果】
【００１０】
本発明によれば、電気的な接続信頼性を向上した端子対を提供することができる。
【図面の簡単な説明】
【００１１】
【図１】実施形態１の端子対を備えたコネクタの斜視図
【図２】嵌合前の第１コネクタと第２コネクタの斜視図
【図３】第１コネクタの分解斜視図
【図４】第２コネクタの分解斜視図
【図５】第１コネクタの側面図
【図６】図５のＡ−Ａ線における断面図
【図７】第１コネクタの底面図
【図８】図７のＢ−Ｂ線における断面図
【図９】第２コネクタの側面図
【図１０】図９のＣ−Ｃ線における断面図
【図１１】第２コネクタの底面図
【図１２】図１１のＤ−Ｄ線における断面図
【図１３】コネクタの側面図
【図１４】図１３のＥ−Ｅ線における断面図
【図１５】嵌合状態のコネクタの底面図
【図１６】図１５のＦ−Ｆ線における断面図
【図１７】嵌合前の端子対を示した斜視図
【図１８】嵌合状態の端子対の斜視図
【図１９】嵌合状態の端子対の側面図
【図２０】図１９のＧ−Ｇ線における断面図
【発明を実施するための形態】
【００１２】
＜実施形態１＞
本発明の実施形態１を図１ないし図２０によって説明する。
本実施形態の端子対４０（４０Ａ，４０Ｂ，４０Ｃ）を備えるコネクタ１０は図１及び図２に示すように、相互に嵌合する第１コネクタ１１（図示左側）と第２コネクタ２５（図示右側）とを有する。
【００１３】
本実施形態において第１コネクタ１１の第１端子１８（内周端子の一例）と第２コネクタ２５の第１端子３３（外周端子の一例）とが端子対４０を構成し、第１コネクタ１１の第２端子１９（内周端子の一例）と第２コネクタ２５の第２端子３４（外周端子の一例）とが端子対４０を構成し、第１コネクタ１１の第３端子２０（外周端子の一例）と第２コネクタ２５の第３端子３５（内周端子の一例）とが端子対４０を構成する。
【００１４】
（第１コネクタ１１）
第１コネクタ１１は、図３に示すように、接触部１８Ａ，１９Ａ，２０Ａ，２１Ａを有する第１端子１８、第２端子１９、第３端子２０、第４端子２１と、これらの端子１８，１９，２０，２１を保持するハウジング１２とを有する。
【００１５】
第１コネクタ１１の端子１８，１９，２０，２１は、図３における左側から順に、第１端子１８、第２端子１９、第３端子２０、第４端子２１である。第１端子１８、第２端子１９および第３端子２０は、それぞれ、円環状をなし一部が開口した接触部１８Ａ，１９Ａ，２０Ａと、接触部１８Ａ，１９Ａ，２０Ａの略中央から突出する板状の端子部１８Ｂ，１９Ｂ，２０Ｂと、からなる。
【００１６】
第１端子１８、第２端子１９および第３端子２０の接触部１８Ａ，１９Ａ，２０Ａの径寸法は、第１端子１９、第２端子１９、第３端子２０の順に小さく設定されている。第４端子２１はピン形状をなしており、その表面が接触部２１Ａである。第１端子１８、第２端子１９、第３端子２０の詳細については後述する。
【００１７】
第１コネクタ１１のハウジング１２の図３における左端部側には４つの端子１８，１９，２０，２１が挿通される端子保持孔１３が形成されている。第１コネクタ１１のハウジング１２は、図５および図７に示すように、外壁面１２Ａ（ハウジング１２の外側）に、第１端子１８の接触部１８Ａを嵌めこんで保持する第１端子保持部１４と、第１端子保持部１４よりも右端部寄りに第２端子１９の接触部１９Ａを嵌めこんで保持する第２端子保持部１５と、を備える。第１端子保持部１４および第２端子保持部１５は各接触部１８Ａ，１９Ａを嵌めこみ可能な形状（凹状）をなしている。
【００１８】
また、第１コネクタ１１のハウジング１２の内壁面１２Ｂ（ハウジング１２の内側）には、図６および図８に示すように第３端子保持部１６が凹設されている。
【００１９】
第４端子２１は、第３端子２０よりもさらに径方向内側において、第１コネクタ１１のハウジング１２の奥壁（左側の壁部）の保持孔１７に保持されている。
【００２０】
第１コネクタ１１の４つの端子１８，１９，２０，２１は第１コネクタ１１のハウジング１２の外側に設けた第１端子保持部１４および第２端子保持部１５、ならびに、ハウジング１２の内側に設けた第３端子保持部１６および保持孔１７において保持されていることになる。
【００２１】
（第２コネクタ２５）
第２コネクタ２５は図４に示すように、接触部３３Ａ，３４Ａ，３５Ａ，３６Ａを有する第１端子３３、第２端子３４、第３端子３５、第４端子３６と、これらの端子３３，３４，３５，３６を保持するハウジング２６とを有する。
【００２２】
第２コネクタ２５の端子３３，３４，３５，３６は、図４における左側から順に、第１端子３３、第２端子３４、第３端子３５、第４端子３６である。第１端子３３、第２端子３４、および第３端子３５は、それぞれ、円環状をなし一部が開口した接触部３３Ａ，３４Ａ，３５Ａと、接触部３３Ａ，３４Ａ，３５Ａの略中央から突出する板状の端子部３３Ｃ，３４Ｃ，３５Ｃとからなる。
【００２３】
第１端子３３、第２端子３４および第３端子３５の接触部３３Ａ，３４Ａ，３５Ａの径寸法は、第１端子３３、第２端子３４、第３端子３５の順に小さく設定されている。第４端子３６は嵌合方向に延びるＵ字状の接触部３６Ａと、接触部３６Ａの略中央から突出する板状の端子部３６Ｂとからなる。
【００２４】
第１端子３３、第２端子３４および第３端子３５の接触部３３Ａ，３４Ａ，３５Ａには、それぞれ複数の弾性接触片３３Ｂ，３４Ｂ，３５Ｂが形成されている。第１端子３３、第２端子３４および第３端子３５の詳細は後述する。
【００２５】
第２コネクタ２５のハウジング２６の図４における右端部側には、４つの端子３３，３４，３５，３６が挿通される端子保持孔２７が形成されている。第２コネクタ２５のハウジング２６は、略円筒状をなし、その内部に筒状の筒状保持部３０を備える。
【００２６】
第２コネクタ２５のハウジング２６の内壁には、図１０および図１２に示すように、径方向における最も外側に第１端子３３の接触部３３Ａを保持する第１端子保持部２８が設けられている。またハウジング２６の内壁には、第１端子保持部２８よりも右端部寄りに、第１端子保持部２８よりも径方向における内側に第２端子３４の接触部３４Ａを保持する第２端子保持部２９、が設けられている。
【００２７】
第２コネクタ２５のハウジング２６の筒状保持部３０の外側面には図１０および図１２に示すように、第３端子保持部３１が設けられており、筒状保持部３０の内部には第４端子３６が保持されている（第４端子保持部３２）。
【００２８】
第２コネクタ２５の４つの端子３３，３４，３５，３６は第２コネクタ２５のハウジング２６において径方向にずれた位置に保持されていることになる。
【００２９】
第１コネクタ１１と第２コネクタ２５とを嵌合させると、第１コネクタ１１は第２コネクタ２５に対して回転自在に嵌合される。
【００３０】
第１コネクタ１１と第２コネクタ２５が嵌合した状態においては、図１４に示すように、第１コネクタ１１の第１端子１８の接触部１８Ａと、第２コネクタ２５の第１端子３３の接触部３３Ａとが接触し、第１コネクタ１１の第２端子１９の接触部１９Ａと第２コネクタ２５の第２端子３４の接触部３４Ａとが接触する。また、第１コネクタ１１と第２コネクタ２５が嵌合した状態においては、図１６に示すように、第１コネクタ１１の第３端子２０の接触部２０Ａと第２コネクタ２５の第３端子３５の接触部３５Ａとが接触し、第１コネクタ１１の第４端子２１の接触部２１Ａと第２コネクタ２５の第４端子３６の接触部３６Ａとが接触する。
【００３１】
第２コネクタ２５の複数の端子３３，３４，３５，３６は、第２コネクタ２５のハウジング２６において、第１コネクタ１１との嵌合完了時に、第１コネクタ１１の各端子１８，１９，２０，２１の接触部１８Ａ，１９Ａ，２０Ａ，２１Ａと接触するように保持されている。
【００３２】
嵌合が完了し第１コネクタ１１の各端子１８，１９，２０，２１の接触部１８Ａ，１９Ａ，２０Ａ，２１Ａが、第２コネクタ２５の対応する端子３３，３４，３５，３６の接触部３３Ａ，３４Ａ，３５Ａ，３６Ａと接触状態となると、両コネクタ１１，２５は電気的に接続可能な状態となる。
【００３３】
（端子対４０）
本実施形態の端子対４０について説明する。
第１コネクタ１１の第１端子１８、第２端子１９は、対となる第２コネクタ２５の第１端子３３、第２端子３４の内側に、第１コネクタ１１の第３端子２０は、第２コネクタ２５の第３端子３５の外側に配される同軸を持つ円筒面上の端子１８，１９，２０である。
【００３４】
第２コネクタ２５の第１端子３３、第２端子３４、第３端子３５は、第１コネクタ１１の第１端子１８、第２端子１９、第３端子２０と接触するように配され当該端子１８，１９，２０と同軸を持つ円筒面上の端子３３，３４，３５である。
【００３５】
図１７〜図２０においては、内周端子が第１コネクタ１１の第１端子１８で、外周端子が第２コネクタ２５の第１端子３３である端子対４０を図示しているが、他の端子対４０も概ね同様であるので、一括して説明する。
【００３６】
上述したように、第１端子１８、第２端子１９および第３端子３５（内周端子）は、外側方向に付勢される。第１端子３３、第２端子３４および第３端子２０（外周端子）は、内側方向に付勢される。第１端子１８、第２端子１９および第３端子３５（内周端子）は接触１８Ａ，１９Ａ，３５Ａを有し、第１端子３３、第２端子３４および第３端子２０（外周端子）は接触部３３Ａ，３４Ａ，２０Ａを有する。
【００３７】
本実施形態では、第１コネクタ１１に取り付けられる端子３３，３４，３５の接触部３３Ａ，３４Ａ，３５Ａが、それぞれ、弾性接触片３３Ｂ，３４Ｂ，３５Ｂを有している。
【００３８】
弾性接触片３３Ｂ，３４Ｂ，３５Ｂは、各外周端子３３，３４，３５の接触部３３Ａ，３４Ａ，３５Ａにおいて、基端部３３１，３４１，３５１が嵌合方向における前方（図１９における矢線Ｙの指す方向）となるように形成されている。
【００３９】
弾性接触片３３Ｂ，３４Ｂ，３５Ｂの、対応する端子１８，１９，２０との接続部３３２，３４２，３５２は嵌合方向における後方に設けられている。
【００４０】
つまり本実施形態では、端子３３，３４，３５において、端子３３，３４，３５の嵌合方向における前方を基端部３３１，３４１，３５１とし、嵌合方向における後方に延びる弾性接触片３３Ｂ，３４Ｂ，３５Ｂが設けられているので、外周端子３３，３４，３５と内周端子１８，１９，２０とを嵌合させる際に、弾性接触片３３Ｂ，３４Ｂ，３５Ｂの接続部３３２，３４２，３５２側がめくれ上がる等によって破損するのを防止することができる。
【００４１】
また、本実施形態において、内周端子１８，１９，２０の接触部１８Ａ，１９Ａ，２０Ａ、ならびに、外周端子３３，３４，３５の接触部３３Ａ，３４Ａ，３５Ａは、図２０に示すように、円環状をなしているので端子１８，１９，２０と端子３３，３４，３５とを嵌合させる際に挿入位置を選ばない。
【００４２】
（作用および効果）
本実施形態の作用および効果について説明する。
本実施形態において、内周端子１８，１９，３５の接触部１８Ａ，１９Ａ，３５Ａは外側方向に付勢されて外周端子３３，３４，２０に接触し、外周端子３３，３４，２０の接触部３３Ａ，３４Ａ，２０Ａは内側方向に付勢されて内周端子１８，１９，３５に接触するので、内周端子１８，１９，３５の接触部１８Ａ，１９Ａ，３５Ａの外側に外周端子３３，３４，２０の接触部３３Ａ，３４Ａ，３５Ａを接触させるだけで充分な接触荷重が得られる。その結果、本実施形態によれば電気的な接続信頼性を向上した端子対４０を提供することができる。
【００４３】
また、本実施形態によれば、外周端子３３，３４，３５の接触部３３Ａ，３４Ａ，３５Ａが、弾性接触片３３Ｂ，３４Ｂ，３５Ｂを有しているから、より接触荷重を細かく設定することができ、端子対４０の電気的な接続信頼性をさらに向上することができる。
【００４４】
さらに、本実施形態によれば、内周端子１８，１９，３５の接触部１８Ａ，１９Ａ，３５Ａおよび外周端子３３，３４，２０の接触部３３Ａ，３４Ａ，２０Ａはともに円環状をなしているから、端子１８，１９，２０と端子３３，３４，３５との嵌合を行う際に嵌合位置の規制がなくなり嵌合操作を円滑に行うことができる。
【００４５】
＜他の実施形態＞
本発明は上記記述及び図面によって説明した実施形態に限定されるものではなく、例えば次のような実施形態も本発明の技術的範囲に含まれる。
（１）上記実施形態では、外周端子３３，３４の接触部３３Ａ，３４Ａと内周端子３５の接触部３５Ａが、それぞれ弾性接触片３３Ｂ，３４Ｂ，３５Ｂを有する例を示したが、本発明はこれに限定されない。内周端子の接触部のみが弾性接触片を有していてもよいし、外周端子の接触部および内周端子の接触部の双方ともが弾性接触片を有していてもよい。
（２）上記実施形態では片持ち状の外周端子３３，３４，３５および内周端子１８，１９，２０を示したが、外周端子および内周端子は両持ち状であってもよい。
（３）上記実施形態では、端子１８，１９，２０の接触部１８Ａ，１９Ａ，２０Ａおよび端子３３，３４，３５の接触部３３Ａ，３４Ａ，３５Ａはともに円環状をなしている例を示したが、円環状でなく方形状などであってもよい。
【符号の説明】
【００４６】
１０…コネクタ
１１…第１コネクタ
１８…第１端子（内周端子）
１８Ａ…接触部（内周端子の接触部）
１９…第２端子（内周端子）
１９Ａ…接触部（内周端子の接触部）
２０…第３端子（外周端子）
２０Ａ…接触部（外周端子の接触部）
２５…第２コネクタ
３３…第１端子（外周端子）
３３Ａ…接触部（外周端子の接触部）
３３Ｂ…弾性接触片
３４…第２端子（外周端子）
３４Ａ…接触部（外周端子の接触部）
３４Ｂ…弾性接触片
３５…第３端子（内周端子）
３５Ａ…接触部（内周端子の接触部）
３５Ｂ…弾性接触片
４０…端子対 
【図１】
0006052086.tif 000002
【図２】
0006052086.tif 000003
【図３】
0006052086.tif 000004
【図４】
0006052086.tif 000005
【図５】
0006052086.tif 000006
【図６】
0006052086.tif 000007
【図７】
0006052086.tif 000008
【図８】
0006052086.tif 000009
【図９】
0006052086.tif 000010
【図１０】
0006052086.tif 000011
【図１１】
0006052086.tif 000012
【図１２】
0006052086.tif 000013
【図１３】
0006052086.tif 000014
【図１４】
0006052086.tif 000015
【図１５】
0006052086.tif 000016
【図１６】
0006052086.tif 000017
【図１７】
0006052086.tif 000018
【図１８】
0006052086.tif 000019
【図１９】
0006052086.tif 000020
【図２０】
0006052086.tif 000021